【手続補正書】
【提出日】平成26年1月29日(2014.1.29)
【手続補正１】
【補正対象書類名】明細書
【補正対象項目名】００１３
【補正方法】変更
【補正の内容】
【００１３】
上記目的は、以下の構成によって達成できる。すなわち、
１．トナー像を担持して用紙に転写する転写位置に搬送する像担持体と、
前記像担持体上にトナー像を形成する画像形成手段と、
転写位置にて前記像担持体に接触するよう配置される接触転写部材と、
前記像担持体と前記接触転写部材の間の転写部に転写バイアスを印加する転写バイアス電源と、
前記転写部に印加される転写バイアスの電圧値と電流値とを取得する転写バイアス値取得手段と、
前記転写部の上流の用紙搬送路に設けられ、搬送される用紙の抵抗値を測定する用紙抵抗値測定手段と、
予め紙種に応じた基準の電流値または電圧値を記憶するメモリを含み、転写を制御する制御手段と、を備え、
前記制御手段は、
前記画像形成手段に、前記像担持体上の移動方向全幅に亘って所定のトナー像を形成させ、
前記転写バイアス電源に、該トナー像を挟んだ状態で前記転写部に所定の転写バイアスを印加させて、前記転写バイアス値取得手段により電圧値と電流値とを取得させ、
取得した電圧値と電流値とから転写部に挟まれるトナー像の抵抗値を算出し、次いで
該トナー像抵抗値と、前記用紙抵抗値測定手段で測定された用紙抵抗値と、前記メモリに記憶される基準の電流値または電圧値とから前記所定のトナー像を用紙に転写する場合の目標電圧値または目標電流値を算出し、
用紙への画像形成中に転写バイアスの電圧値または電流値が目標電圧値または目標電流値となるように前記転写バイアス電源の電流値または電圧値を補正する
ように制御することを特徴とする画像形成装置。
２．前記所定のトナー像は、前記像担持体上の移動方向全幅に亘って一様なトナー像であることを特徴とする前記１に記載の画像形成装置。
３．前記用紙抵抗値測定手段は、給紙手段から給紙される用紙と、表面に画像を形成された後、裏面に再度画像を形成される用紙との抵抗値を測定することを特徴とする前記１または２に記載の画像形成装置。
４．前記用紙抵抗値測定手段は、用紙が通過中に複数回測定を行って搬送方向の用紙の抵抗値プロフィールを作成し、この抵抗値プロフィールを前記制御手段に提供することを特徴とする前記１から３のいずれか一項に記載の画像形成装置。
５．前記トナー像抵抗値の取得は、用紙の通過前、ジョブの開始前、所定枚数の画像形成毎、或いは画像形成装置の電源オン後のいずれかのタイミングで行われることを特徴とする前記１から４のいずれか一項に記載の画像形成装置。
６．トナー像を担持して用紙に転写する転写位置に搬送する像担持体と、
前記像担持体上にトナー像を形成する画像形成手段と、
転写位置にて前記像担持体に接触するよう配置される接触転写部材と、
前記像担持体と前記接触転写部材の間の転写部に転写バイアスを印加する定電流電源と、
前記転写部に印加される転写バイアスの電圧値を測定する電圧測定手段と、
前記転写部の上流の用紙搬送路に設けられ、搬送される用紙の抵抗値を測定する用紙抵抗値測定手段と、
予め紙種に応じた基準電流値を記憶するメモリを含み、転写に係る制御を行う制御手段と、を備え、
前記制御手段は、
前記画像形成手段に、前記像担持体上の移動方向全幅に亘って所定のトナー像を形成させ、
前記定電流電源に、該トナー像を挟んだ状態で前記転写部に所定の電流値の転写バイアスを印加させて、前記電圧測定手段に流れる電圧値を測定させ、
測定した電圧値と所定の電流値とからトナー像の抵抗値を算出し、次いで
該トナー像抵抗値と、前記用紙抵抗値測定手段で測定された用紙抵抗値と、前記メモリに記憶される基準電流値とから前記所定のトナー像を用紙に転写する場合の目標電圧値を算出し、
用紙への画像形成中に転写バイアスの電圧値が目標電圧値となるように前記定電流電源の電流値を補正する
ように制御することを特徴とする画像形成装置。
７．前記所定のトナー像は、前記像担持体上の移動方向全幅に亘って一様なトナー像であることを特徴とする前記６に記載の画像形成装置。
８．前記用紙抵抗値測定手段は、給紙手段から給紙される用紙と、表面に画像を形成された後、裏面に再度画像を形成される用紙との抵抗値を測定することを特徴とする前記６または７に記載の画像形成装置。
９．前記用紙抵抗値測定手段は、用紙が通過中に複数回測定を行って搬送方向の用紙の抵抗値プロフィールを作成し、この抵抗値プロフィールを前記制御手段に提供することを特徴とする前記６から８のいずれか一項に記載の画像形成装置。
１０．前記トナー像抵抗値の算出は、用紙の通過前、ジョブの開始前、所定枚数の画像形成毎、或いは画像形成装置の電源オン後のいずれかのタイミングで行われることを特徴とする前記６から９のいずれか一項に記載の画像形成装置。
１１．像担持体上にトナー像を形成し、このトナー像を用紙に転写して画像形成を行う画像形成方法であって、
画像形成前に前記像担持体上の移動方向全幅に亘って所定のトナー像を形成し、このトナー像の抵抗値を転写部で測定する第１測定工程と、
転写位置上流で用紙の抵抗値を測定する第２測定工程と、
第１測定工程で測定されたトナー像抵抗値と、第２測定工程で測定された用紙抵抗値から画像転写時の目標転写バイアス値を算出する算出工程と、
画像形成中の転写バイアス値を測定する第３測定工程と、
第３測定工程で測定した転写バイアスが前記目標転写バイアス値となるように転写バイアス値を補正しながら転写を行う転写工程と、
を有することを特徴とする画像形成方法。
１２．前記所定のトナー像は、前記像担持体上の移動方向全幅に亘って一様なトナー像であることを特徴とする前記１１に記載の画像形成方法。
１３．前記第２測定工程は、新たに給紙される用紙と、表面に画像を形成された後、裏面に再度画像を形成される用紙との抵抗値を測定することを特徴とする前記１１または１２に記載の画像形成方法。
１４．前記第２測定工程は、用紙が通過中に複数回測定を行って搬送方向の用紙の抵抗値プロフィールを作成することを特徴とする前記１１から１３のいずれか一項に記載の画像形成方法。
１５．前記第１測定工程は、用紙の通過前、ジョブの開始前、所定枚数の画像形成毎、或いは画像形成装置の電源オン後のいずれかのタイミングで行われることを特徴とする前記１１から１４のいずれか一項に記載の画像形成方法。
【手続補正２】
【補正対象書類名】特許請求の範囲
【補正対象項目名】全文
【補正方法】変更
【補正の内容】
【特許請求の範囲】
【請求項１】
トナー像を担持して用紙に転写する転写位置に搬送する像担持体と、
前記像担持体上にトナー像を形成する画像形成手段と、
転写位置にて前記像担持体に接触するよう配置される接触転写部材と、
前記像担持体と前記接触転写部材の間の転写部に転写バイアスを印加する転写バイアス電源と、
前記転写部に印加される転写バイアスの電圧値と電流値とを取得する転写バイアス値取得手段と、
前記転写部の上流の用紙搬送路に設けられ、搬送される用紙の抵抗値を測定する用紙抵抗値測定手段と、
予め紙種に応じた基準の電流値または電圧値を記憶するメモリを含み、転写を制御する制御手段と、を備え、
前記制御手段は、
前記画像形成手段に、前記像担持体上の移動方向全幅に亘って所定のトナー像を形成させ、
前記転写バイアス電源に、該トナー像を挟んだ状態で前記転写部に所定の転写バイアスを印加させて、前記転写バイアス値取得手段により電圧値と電流値とを取得させ、
取得した電圧値と電流値とから転写部に挟まれるトナー像の抵抗値を算出し、次いで
該トナー像抵抗値と、前記用紙抵抗値測定手段で測定された用紙抵抗値と、前記メモリに記憶される基準の電流値または電圧値とから前記所定のトナー像を用紙に転写する場合の目標電圧値または目標電流値を算出し、
用紙への画像形成中に転写バイアスの電圧値または電流値が目標電圧値または目標電流値となるように前記転写バイアス電源の電流値または電圧値を補正する
ように制御することを特徴とする画像形成装置。
【請求項２】
前記所定のトナー像は、前記像担持体上の移動方向全幅に亘って一様なトナー像であることを特徴とする請求項１に記載の画像形成装置。
【請求項３】
前記用紙抵抗値測定手段は、給紙手段から給紙される用紙と、表面に画像を形成された後、裏面に再度画像を形成される用紙との抵抗値を測定することを特徴とする請求項１または２に記載の画像形成装置。
【請求項４】
前記用紙抵抗値測定手段は、用紙が通過中に複数回測定を行って搬送方向の用紙の抵抗値プロフィールを作成し、この抵抗値プロフィールを前記制御手段に提供することを特徴とする請求項１から３のいずれか一項に記載の画像形成装置。
【請求項５】
前記トナー像抵抗値の取得は、用紙の通過前、ジョブの開始前、所定枚数の画像形成毎、或いは画像形成装置の電源オン後のいずれかのタイミングで行われることを特徴とする請求項１から４のいずれか一項に記載の画像形成装置。
【請求項６】
トナー像を担持して用紙に転写する転写位置に搬送する像担持体と、
前記像担持体上にトナー像を形成する画像形成手段と、
転写位置にて前記像担持体に接触するよう配置される接触転写部材と、
前記像担持体と前記接触転写部材の間の転写部に転写バイアスを印加する定電流電源と、
前記転写部に印加される転写バイアスの電圧値を測定する電圧測定手段と、
前記転写部の上流の用紙搬送路に設けられ、搬送される用紙の抵抗値を測定する用紙抵抗値測定手段と、
予め紙種に応じた基準電流値を記憶するメモリを含み、転写に係る制御を行う制御手段と、を備え、
前記制御手段は、
前記画像形成手段に、前記像担持体上の移動方向全幅に亘って所定のトナー像を形成させ、
前記定電流電源に、該トナー像を挟んだ状態で前記転写部に所定の電流値の転写バイアスを印加させて、前記電圧測定手段に流れる電圧値を測定させ、
測定した電圧値と所定の電流値とからトナー像の抵抗値を算出し、次いで
該トナー像抵抗値と、前記用紙抵抗値測定手段で測定された用紙抵抗値と、前記メモリに記憶される基準電流値とから前記所定のトナー像を用紙に転写する場合の目標電圧値を算出し、
用紙への画像形成中に転写バイアスの電圧値が目標電圧値となるように前記定電流電源の電流値を補正する
ように制御することを特徴とする画像形成装置。
【請求項７】
前記所定のトナー像は、前記像担持体上の移動方向全幅に亘って一様なトナー像であることを特徴とする請求項６に記載の画像形成装置。
【請求項８】
前記用紙抵抗値測定手段は、給紙手段から給紙される用紙と、表面に画像を形成された後、裏面に再度画像を形成される用紙との抵抗値を測定することを特徴とする請求項６または７に記載の画像形成装置。
【請求項９】
前記用紙抵抗値測定手段は、用紙が通過中に複数回測定を行って搬送方向の用紙の抵抗値プロフィールを作成し、この抵抗値プロフィールを前記制御手段に提供することを特徴とする請求項６から８のいずれか一項に記載の画像形成装置。
【請求項１０】
前記トナー像抵抗値の算出は、用紙の通過前、ジョブの開始前、所定枚数の画像形成毎、或いは画像形成装置の電源オン後のいずれかのタイミングで行われることを特徴とする請求項６から９のいずれか一項に記載の画像形成装置。
【請求項１１】
像担持体上にトナー像を形成し、このトナー像を用紙に転写して画像形成を行う画像形成方法であって、
画像形成前に前記像担持体上の移動方向全幅に亘って所定のトナー像を形成し、このトナー像の抵抗値を転写部で測定する第１測定工程と、
転写位置上流で用紙の抵抗値を測定する第２測定工程と、
第１測定工程で測定されたトナー像抵抗値と、第２測定工程で測定された用紙抵抗値から画像転写時の目標転写バイアス値を算出する算出工程と、
画像形成中の転写バイアス値を測定する第３測定工程と、
第３測定工程で測定した転写バイアスが前記目標転写バイアス値となるように転写バイアス値を補正しながら転写を行う転写工程と、
を有することを特徴とする画像形成方法。
【請求項１２】
前記所定のトナー像は、前記像担持体上の移動方向全幅に亘って一様なトナー像であることを特徴とする請求項１１に記載の画像形成方法。
【請求項１３】
前記第２測定工程は、新たに給紙される用紙と、表面に画像を形成された後、裏面に再度画像を形成される用紙との抵抗値を測定することを特徴とする請求項１１または１２に記載の画像形成方法。
【請求項１４】
前記第２測定工程は、用紙が通過中に複数回測定を行って搬送方向の用紙の抵抗値プロフィールを作成することを特徴とする請求項１１から１３のいずれか一項に記載の画像形成方法。
【請求項１５】
前記第１測定工程は、用紙の通過前、ジョブの開始前、所定枚数の画像形成毎、或いは画像形成装置の電源オン後のいずれかのタイミングで行われることを特徴とする請求項１１から１４のいずれか一項に記載の画像形成方法。